(57)【要約】【課題】色弱者も健常者も同時に同じ内容の画像を観察することが可能なプロジェクター、プログラム、情報記憶媒体および投写方法を提供すること。【解決手段】プロジェクター１００が、記憶部１２０に記憶された画像データ１２２および変換用データ１２４に基づき、少なくとも１種類の色弱者用画像および健常者用画像を含む画像を生成する画像生成部１３０と、画像生成部１３０によって生成された画像を投写する投写部１９０を含んで構成される。【選択図】図１
2010243562.tif 000002
【特許請求の範囲】
【請求項１】
画像データに基づき、少なくとも１種類の色弱者用画像および健常者用画像を含む画像を生成する画像生成部と、
前記画像を投写する投写部と、
を含むプロジェクター。
【請求項２】
画像データに基づき、少なくとも１種類の色弱者用画像および健常者用画像を生成する画像生成部と、
前記色弱者用画像または前記健常者用画像を他の少なくとも１台のプロジェクターへ向け送信する送信部と、
前記色弱者用画像および前記健常者用画像のうち、前記送信部によって送信されない画像を投写する投写部と、
を含むプロジェクター。
【請求項３】
請求項１、２のいずれかに記載のプロジェクターにおいて、
前記画像生成部は、前記色弱者用画像の種別の指定に応じて複数種の色弱者用画像から投写対象の色弱者用画像を決定する、
プロジェクター。
【請求項４】
投写部を含むプロジェクターの有するコンピューターに、
画像データに基づき、少なくとも１種類の色弱者用画像および健常者用画像を含む画像を生成する画像生成ステップと、
前記画像を前記投写部に投写させる投写制御ステップと、
を実行させるプログラム。
【請求項５】
投写部と、送信部とを含むプロジェクターの有するコンピューターに、
画像データに基づき、少なくとも１種類の色弱者用画像および健常者用画像を生成する画像生成ステップと、
前記色弱者用画像または前記健常者用画像を他の少なくとも１台のプロジェクターへ向け前記送信部に送信させる送信制御ステップと、
前記色弱者用画像および前記健常者用画像のうち、前記送信部によって送信されない画像を前記投写部に投写させる投写制御ステップと、
を実行させるプログラム。
【請求項６】
投写部を含むプロジェクターの有するコンピューターにより読み取り可能なプログラムを記憶した情報記憶媒体であって、
請求項４、５のいずれかに記載のプログラムを記憶した情報記憶媒体。
【請求項７】
画像データに基づき、健常者用画像を生成し、
前記画像データに基づき、少なくとも１種類の色弱者用画像を生成し、
前記色弱者用画像と、前記健常者用画像とを投写する、
投写方法。
【発明の詳細な説明】
【技術分野】
【０００１】
本発明は、プロジェクター、プログラム、情報記憶媒体および投写方法に関する。
【背景技術】
【０００２】
例えば、特開２００８−１２９１６２号公報では、利用者の液晶ディスプレイの特性評価結果に基づいてＩＣＣプロファイルを生成し、視覚特性パターンを選択させ、視環境センサーで視環境を計測し、ＰＣ(Personal Computer)がこれらの情報に基づいて映像を変換して出力することが記載されている。
【先行技術文献】
【特許文献】
【０００３】
【特許文献１】特開２００８−１２９１６２号公報
【発明の概要】
【発明が解決しようとする課題】
【０００４】
しかし、特開２００８−１２９１６２号公報の手法は、利用者１人の視覚特性等に応じて表示色等を変換する手法であるため、不特定多数の利用者が同時に画像を観察するプロジェクターに適用しても適切な効果が得られない。また、一般的に、色弱者にも対応した画像を、プロジェクターを用いて投写することは行われていない。
【０００５】
本発明の目的は、色弱者も健常者も同時に同じ内容の画像を観察することが可能なプロジェクター、プログラム、情報記憶媒体および投写方法を提供することにある。
【課題を解決するための手段】
【０００６】
上記課題を解決するため、本発明に係るプロジェクターは、画像データに基づき、少なくとも１種類の色弱者用画像および健常者用画像を含む画像を生成する画像生成部と、前記画像を投写する投写部と、を含むことを特徴とする。
【０００７】
また、本発明に係るプログラムは、投写部を含むプロジェクターの有するコンピューターに、画像データに基づき、少なくとも１種類の色弱者用画像および健常者用画像を含む画像を生成する画像生成ステップと、前記画像を前記投写部に投写させる投写制御ステップと、を実行させることを特徴とする。
【０００８】
また、本発明に係る情報記憶媒体は、投写部を含むプロジェクターの有するコンピューターにより読み取り可能なプログラムを記憶した情報記憶媒体であって、上記プログラムを記憶したことを特徴とする。
【０００９】
また、本発明に係る投写方法は、画像データに基づき、健常者用画像を生成し、前記画像データに基づき、少なくとも１種類の色弱者用画像を生成し、前記色弱者用画像と、前記健常者用画像とを投写することを特徴とする。
【００１０】
本発明によれば、プロジェクターは、色弱者用画像および健常者用画像を含む画像を投写することにより、色弱者も健常者も同時に同じ内容の画像を観察することができる。
【００１１】
また、本発明に係るプロジェクターは、画像データに基づき、少なくとも１種類の色弱者用画像および健常者用画像を生成する画像生成部と、前記色弱者用画像または前記健常者用画像を他の少なくとも１台のプロジェクターへ向け送信する送信部と、前記色弱者用画像および前記健常者用画像のうち、前記送信部によって送信されない画像を投写する投写部と、を含むことを特徴とする。
【００１２】
また、本発明に係るプログラムは、投写部と、送信部とを含むプロジェクターの有するコンピューターに、画像データに基づき、少なくとも１種類の色弱者用画像および健常者用画像を生成する画像生成ステップと、前記色弱者用画像または前記健常者用画像を他の少なくとも１台のプロジェクターへ向け前記送信部に送信させる送信制御ステップと、前記色弱者用画像および前記健常者用画像のうち、前記送信部によって送信されない画像を前記投写部に投写させる投写制御ステップと、を実行させることを特徴とする。
【００１３】
また、本発明に係る情報記憶媒体は、投写部を含むプロジェクターの有するコンピューターにより読み取り可能なプログラムを記憶した情報記憶媒体であって、上記プログラムを記憶したことを特徴とする。
【００１４】
本発明によれば、プロジェクターは、他のプロジェクターと分担して色弱者用画像および健常者用画像を投写することにより、色弱者も健常者も同時に同じ内容の画像を観察することができる。
【００１５】
また、前記画像生成部は、前記色弱者用画像の種別の指定に応じて複数種の色弱者用画像から投写対象の色弱者用画像を決定してもよい。
【００１６】
これによれば、プロジェクターは、観察者に適した色弱者用画像を投写することにより、より見やすい画像を投写することができる。
【図面の簡単な説明】
【００１７】
【図１】第１の実施例におけるプロジェクターの機能ブロック図である。
【図２】第１の実施例における投写手順を示すフローチャートである。
【図３】第１の実施例における画像の一例を示す図である。
【図４】第２の実施例における投写状況を示す図である。
【図５】第２の実施例におけるプロジェクターの機能ブロック図である。
【図６】第２の実施例における投写手順を示すフローチャートである。
【発明を実施するための形態】
【００１８】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１９】
（第１の実施例）
図１は、第１の実施例におけるプロジェクター１００の機能ブロック図である。プロジェクター１００は、ユーザーによる色弱者用画像の種別の指定を示す指定情報を入力する指定情報入力部１１０と、画像データ１２２、健常者用画像を色弱者用画像に変換するための変換用データ１２４等を記憶する記憶部１２０と、画像を生成する画像生成部１３０と、画像を投写する投写部１９０を含んで構成されている。
【００２０】
なお、プロジェクター１００は、以下のハードウェアを用いてこれらの各部として機能してもよい。例えば、プロジェクター１００は、指定情報入力部１１０はリモコン（リモートコントローラー）、受光ユニット等、記憶部１２０は不揮発性メモリー等、画像生成部１３０は画像処理回路等、投写部１９０はランプ、液晶パネル、液晶駆動回路、レンズ等を用いてもよい。
【００２１】
また、プロジェクター１００の有するコンピューターは、情報記憶媒体２００に記憶されたプログラムを読み取って画像生成部１３０等として機能してもよい。このような情報記憶媒体２００としては、例えば、ＣＤ−ＲＯＭ、ＤＶＤ−ＲＯＭ、ＲＯＭ、ＲＡＭ、ＨＤＤ等を適用できる。
【００２２】
次に、プロジェクター１００による画像の投写手順について説明する。図２は、第１の実施例における投写手順を示すフローチャートである。
【００２３】
ここでは、健常者と色弱者が同時に画像を観察するものとする。色弱者はリモコンを用いて色弱者用画像の種別を指定する。指定情報入力部１１０は、リモコンから色弱者用画像の種別の指定を示す指定情報を入力し、画像生成部１３０は、当該指定情報に基づき、色弱者用画像の種別に応じた複数種の変換用データ１２４から使用する（投写対象となる色弱者用画像の種別に応じた）変換用データ１２４を決定する（ステップＳ１）。
【００２４】
なお、色弱の種別としては、例えば、Ｐ型、Ｄ型等がある。また、変換用データ１２４は、例えば、これらの種別に応じて画像の色や明るさを調整するためのデータ（例えば、変換用マトリックス等を示すデータ）である。
【００２５】
画像生成部１３０は、画像データ１２２を用いて健常者用画像を生成し、決定した変換用データ１２４を用いて当該健常者用画像を変換して色弱者用画像を生成し、これらの画像を含む画像を生成する（ステップＳ２）。投写部１９０は、当該画像を投写する（ステップＳ３）。
【００２６】
図３は、第１の実施例における画像３００の一例を示す図である。図３に示すように、画像３００内の左側の領域に健常者用画像４００が表示され、画像３００内の右側の領域に色弱者用画像５００が表示されている。
【００２７】
以上のように、本実施例によれば、プロジェクター１００は、健常者用画像４００および色弱者用画像５００を含む画像３００を投写することにより、色弱者も健常者も同時に同じ内容の画像３００を観察することができる。これにより、色弱者は、講演会等に参加しやすくなる。
【００２８】
また、本実施例によれば、プロジェクター１００は、色弱者による色弱者用画像５００の種別の指定に応じて色弱者用画像５００を決定することができるため、色弱者にとって見やすい色弱者用画像５００を投写することができる。
【００２９】
（第２の実施例）
第１の実施例では、１台のプロジェクター１００が健常者用画像４００と色弱者用画像５００を含む画像３００を投写したが、複数のプロジェクターが分担して健常者用画像と色弱者用画像を投写してもよい。また、複数種の色弱者用画像が同時に投写されてもよい。
【００３０】
図４は、第２の実施例における投写状況を示す図である。ここでは、３台のプロジェクター１０１−１〜１０１−３がそれぞれ健常者用画像４０１、色弱者用画像５０１、５０２をスクリーン１０に投写している。プロジェクター１０１−１は、色弱者用画像５０１、５０２用の画像情報を生成してプロジェクター１０１−２、１０１−３に配信することにより、プロジェクター１０１−２、１０１−３に色弱者用画像５０１、５０２を投写させる。
【００３１】
次に、このような機能を有するプロジェクター１０１の機能ブロックについて説明する。図５は、第２の実施例におけるプロジェクター１０１の機能ブロック図である。プロジェクター１００は、ＰＣ等から画像信号（例えば、ＲＧＢ信号等）を入力する画像信号入力部１４０と、変換用データ１２４等を記憶する記憶部１２１と、画像生成部１３１と、画像情報の送信部として機能する通信部１５０と、投写部１９０を含んで構成されている。
【００３２】
なお、画像信号入力部１４０としては、例えば、画像入力端子、コンバーター等、通信部１５０としては無線通信ユニット等を適用できる。また、プロジェクター１０１の有するコンピューターは、情報記憶媒体２０１からプログラムを読み取って画像生成部１３１等として機能することも可能である。
【００３３】
次に、プロジェクター１０１による画像の投写手順について説明する。図６は、第２の実施例における投写手順を示すフローチャートである。
【００３４】
画像生成部１３１は、画像信号入力部１４０によって入力された画像信号と、変換用データ１２４に基づき、健常者用画像４０１と２種類の色弱者用画像５０１、５０２を生成する（ステップＳ１１）。なお、変換用データ１２４には、２種類の色弱者用画像５０１、５０２を生成するための変換用データが含まれているものとする。
【００３５】
通信部１５０は、色弱者用画像５０１、５０２を示す画像情報（例えば、パケットデータ等）を他のプロジェクター１０１−２、１０１−３へ向け無線伝送路を介して送信する（ステップＳ１２）。プロジェクター１０１−２、１０１−３は、当該画像情報を用いて色弱者用画像５０１、５０２を投写する。
【００３６】
また、プロジェクター１０１−１の投写部１９０は、健常者用画像４０１を投写する。以上の手順により、スクリーン１０に健常者用画像４０１、色弱者用画像５０１、５０２が表示される。
【００３７】
以上のように、本実施例によっても、プロジェクター１０１は、他のプロジェクター１０１と分担して健常者用画像４０１および色弱者用画像５０１、５０２を投写することにより、色弱者も健常者も同時に同じ内容の画像を観察することができ、第１の実施例と同様の作用効果を奏する。
【００３８】
また、本実施例によれば、プロジェクター１０１は、指定情報の入力を行うことなく、複数種の色弱者用画像５０１、５０２を同時に表示することができるため、より汎用的に色弱者に健常者と同じ内容の画像を観察させることができる。
【００３９】
（その他の実施例）
なお、本発明の適用は上述した実施例に限定されず、種々の変形が可能である。例えば、変換用データ１２４や健常者用画像４００、４０１の変換は必須ではなく、プロジェクター１００、１０１は、あらかじめ色弱者用に変換された画像データを用いて色弱者用画像５００〜５０２を生成してもよい。
【００４０】
また、第２の実施例では、プロジェクター１０１は、画像情報の送受信機能を有しているため、画像情報を生成して送信したり、画像情報を受信して画像を生成したりすることが可能であるが、送信専用のプロジェクターまたは受信専用のプロジェクターとして形成されてもよい。
【００４１】
また、第１の実施例と第２の実施例を組合せてもよい。例えば、画像生成部１３０、１３１は、複数の指定情報に応じて複数種の色弱者用画像を生成してもよい。また、画像生成部１３０、１３１は、３種類以上の色弱者用画像を生成し、投写部１９０は、３種類以上の色弱者用画像を同時に投写してもよい。
【００４２】
また、プロジェクター１００、１０１は、複数の投写部１９０を含んでもよい。この場合、各投写部１９０は、それぞれが健常者用画像または色弱者用画像を投写してもよい。
【００４３】
また、プロジェクター１００、１０１は、液晶プロジェクター（透過型、ＬＣＯＳ等の反射型）には限定されず、例えば、ＤＭＤ(Digital Micromirror Device)を用いたプロジェクター等であってもよい。なお、ＤＭＤは米国テキサス・インスツルメンツ社の商標である。また、プロジェクター１００、１０１の機能を複数の装置（例えば、ＰＣとプロジェクター等）に分散してもよい。
【符号の説明】
【００４４】
１０  スクリーン、１００  プロジェクター、１１０  指定情報入力部、１２０  記憶部、１２２  画像データ、１２４  変換用データ、１３０  画像生成部、１９０  投写部、２００、２０１  情報記憶媒体、３００  画像、４００ｌ、４０１  健常者用画像、５００〜５０２  色弱者用画像
【図１】
2010243562.tif 000003
【図２】
2010243562.tif 000004
【図３】
2010243562.tif 000005
【図４】
2010243562.tif 000006
【図５】
2010243562.tif 000007
【図６】
2010243562.tif 000008